(57)【要約】【課題】シャフトの軸方向に沿ってサンバイザ本体をスライド操作して遮光範囲を変更できるスライド式サンバイザであって、製作コストを引き下げるとともに薄肉化を図り、サポート、シャフト組付時におけるチューニング作業を簡素化する。【解決手段】サンバイザ本体２０の樹脂芯材２１として、射出成形によるシェル状の分割樹脂芯材２１Ａ，２１Ｂを使用し、この分割樹脂芯材２１Ａ，２１Ｂにガイドリブ２４Ａ，２４Ｂを一体成形し、このガイドリブ２４Ａ，２４Ｂによりシャフト３０を軸受するサポートアッセンブリ４０をスライド可能に支持する。また、ガイドリブ２４Ａ，２４Ｂを収容するためにサポートアッセンブリ４０の両側面に凹溝４３を設け、凹溝４３内にガイドリブ２４Ａ，２４Ｂを収容することで、上下方向のバラツキをなくし、円滑なスライド操作性を付与する。【選択図】　図３
2004009883.tif 000002
【特許請求の範囲】
【請求項１】
日除け機能をもつサンバイザ本体（２０）をシャフト（３０）により回動自在に支承してなるとともに、シャフト（３０）の軸方向に沿って、サンバイザ本体（２０）をスライド可能に支持することにより、遮光範囲の変更を可能としたスライド式サンバイザ（１０）において、
前記サンバイザ本体（２０）は、中空状の樹脂芯材（２１）を有し、シャフト（３０）を回動自在に軸受するサポートアッセンブリ（４０）が樹脂芯材（２１）内部に収容され、樹脂芯材（２１）の内面に長手方向に沿って延びるガイドリブ（２４Ａ，２４Ｂ）が相互に対峙するように条設され、このガイドリブ（２４Ａ，２４Ｂ）間でサポートアッセンブリ（４０）をスライド可能に支持したことを特徴とするスライド式サンバイザ。
【請求項２】
日除け機能をもつサンバイザ本体（２０）をシャフト（３０）により回動自在に支承してなるとともに、シャフト（３０）の軸方向に沿って、サンバイザ本体（２０）をスライド可能に支持することにより、遮光範囲の変更を可能としたスライド式サンバイザ（１０）において、
前記サンバイザ本体（２０）は、中空状の樹脂芯材（２１）を有し、シャフトを回動自在に軸受するサポートアッセンブリ（４０）が樹脂芯材（２１）に内装されるガイド部材（５０）によりスライド自在に支持されていることを特徴とするスライド式サンバイザ。
【請求項３】
前記樹脂芯材（２１）、あるいはガイド部材（５０）の内面に形成されるガイドリブ（２４Ａ，２４Ｂ，５４Ａ，５４Ｂ）を収容する凹溝（４３）がサポートアッセンブリ（４０）におけるサポート本体（４１）の両側面に設けられていることを特徴とする請求項１又は２に記載のスライド式サンバイザ。
【発明の詳細な説明】
【０００１】
【発明の属する技術分野】
この発明は、遮光範囲の変更を可能にしたスライド式サンバイザに係り、特に、製作コストが廉価で、かつ製品厚みを薄肉化できるとともに、シャフト、サポート組付時におけるチューニング作業を簡素化できるスライド式サンバイザに関する。
【０００２】
【従来の技術】
通常、運転席、あるいは補助席の斜め上方には、直射日光や夜間対向車のライトからの眩惑を防止するためにサンバイザが設けられており、最近では、運転姿勢や乗員の体型等により遮光範囲を任意に選択できるようにしたスライド式サンバイザが知られている。
【０００３】
図６に示すように、スライド式サンバイザ１は、所望の遮光面積を有するサンバイザ本体２がシャフト３により回動可能に支承されており、このシャフト３は、ブラケット３ａ内に回動自在に挿通され、ブラケット３ａが車体パネルの天井部分に取り付けられている。
【０００４】
そして、シャフト３廻りにサンバイザ本体２を上下方向に回動操作可能であるとともに、ブラケット３ａ廻りにシャフト３を回動させることにより、フロントウインドウとサイドウインドウ間で左右方向に展開操作が可能になっている。
【０００５】
更に、スライド式サンバイザ１においては、シャフト３に対してサンバイザ本体２を図６中矢印方向にスライド可能に支持するために、図７に示すように、シャフト３及びシャフト３を回動自在に軸受するサポートアッセンブリ４は、アルミ押出成形体等からなるガイド筒体５内部にスライド可能に収容されている。
【０００６】
また、サンバイザ本体２は、モールドウレタンからなるサンバイザコア２ａの外表面をクロス、不織布等のサンバイザ表皮２ｂにより被包してなり、サンバイザコア２ａの成形時にガイド筒体５がインサートされている。
【０００７】
【発明が解決しようとする課題】
このように、従来のスライド式サンバイザ１においては、シャフト３及びシャフト３を軸受するサポートアッセンブリ４をガイド機構を介してスライド可能に収容するガイド筒体５を付設するため、ガイド筒体５により部品点数及び加工コストが嵩み、スライド式サンバイザ１のコスト高を招くという不具合が指摘されている。
【０００８】
更に、ガイド筒体５の厚さを一定程度確保しなければならず、しかも、ガイド筒体５とサンバイザの製品表面との間に緩衝性をもつサンバイザコア２ａを介挿するため、サンバイザ本体２の製品厚みが厚肉化するという不具合が同時に指摘されている。
【０００９】
加えて、ガイド筒体５内部にガイド機構を介してサポートアッセンブリ４を収容する際、ガイド筒体５内部の限られた手狭なスペースで行なわなければならず、内径寸法出し等のチューニング作業が非常に面倒であるという不具合も同時に指摘されている。
【００１０】
この発明は、このような事情に鑑みてなされたもので、サンバイザ本体をシャフトの軸方向に沿ってスライド操作でき、遮光範囲を変更できるスライド式サンバイザであって、製作コストが廉価で済み、かつ製品の薄肉化が図れ、しかもサポートアッセンブリ、シャフト等の組付時におけるチューニング作業を簡素化できるスライド式サンバイザを提供することを目的とする。
【００１１】
【課題を解決するための手段】
上記目的を達成するために、この出願の請求項１に記載の発明は、日除け機能をもつサンバイザ本体をシャフトにより回動自在に支承してなるとともに、シャフトの軸方向に沿って、サンバイザ本体をスライド可能に支持することにより、遮光範囲の変更を可能としたスライド式サンバイザにおいて、前記サンバイザ本体は、中空状の樹脂芯材を有し、シャフトを回動自在に軸受するサポートアッセンブリが樹脂芯材内部に収容され、樹脂芯材の内面に長手方向に沿って延びるガイドリブが相互に対峙するように条設され、このガイドリブ間でサポートアッセンブリをスライド可能に支持したことを特徴とする。
【００１２】
ここで、サポートアッセンブリは、樹脂成形体からなり、シャフトを軸受する軸孔を備えたサポート本体と、サポート本体に装着され、シャフトの外周面に弾接し、回動トルク力を付与する板バネとからなる。
【００１３】
また、サンバイザ本体は、中空状の樹脂芯材の表面にサンバイザ表皮を被包して構成され、この樹脂芯材は、シェル状の分割樹脂芯材を対称状の半割体として用意しておき、半割体同士の各湾曲外面を外側に向けて両者を接合して構成しても良く、また、半割体を一体化し、ヒンジ部を基に折曲可能に接合できるようにしても良い。各分割樹脂芯材（半割体）の内面には、一方側に係止爪、他方側にそれを受ける係止部が設けられ、双方の分割樹脂芯材同士を位置決めして合わせれば、これら係止部と係止爪の係着作用により簡単に組み付けられる。
【００１４】
そして、シャフトを回動自在に軸受するサポートアッセンブリをサンバイザ本体内部でサンバイザ本体の長手方向、すなわちシャフトの軸方向に沿ってスライド可能に支持できるように、サポートアッセンブリの両側面に当接支持するガイドリブが樹脂芯材の内面に設けられているが、このガイドリブは、左右一対、あるいは左右一対のものを上下に２箇所、またはそれ以上設定することができる。
【００１５】
従って、請求項１に記載の発明によれば、サポートアッセンブリを支持するガイドリブは、樹脂芯材の成形時、一体に形成でき、従来のガイド筒体を廃止できるため、ガイド筒体等の部品点数の削減及びガイド筒体の取付工数を削減できるとともに、ガイド筒体を廃止したため、サンバイザ本体の厚み寸法を薄肉化できる。
【００１６】
この出願の請求項２に記載の発明は、日除け機能をもつサンバイザ本体をシャフトにより回動自在に支承してなるとともに、シャフトの軸方向に沿って、サンバイザ本体をスライド可能に支持することにより、遮光範囲の変更を可能としたスライド式サンバイザにおいて、前記サンバイザ本体は、中空状の樹脂芯材を有し、シャフトを回動自在に軸受するサポートアッセンブリが樹脂芯材に内装されるガイド部材によりスライド自在に支持されていることを特徴とする。
【００１７】
ここで、ガイド部材は、樹脂成形体からなり、樹脂芯材の係止爪に取り付ける取付片を少なくとも前後２箇所に設け、サポートアッセンブリを収容支持するレール状に成形されている。
【００１８】
従って、請求項２に記載の発明によれば、従来のガイド筒体に比べ、ガイドが小さく、しかも接触部分が少ないため、寸法調整作業を簡素化できる。
【００１９】
この出願の請求項３に記載の発明は、前記樹脂芯材、あるいはガイド部材の内面に形成されるガイドリブを収容する凹溝がサポートアッセンブリにおけるサポート本体の両側面に設けられていることを特徴とする。
【００２０】
ここで、ガイドリブに対応するように、サポートアッセンブリにおけるサポート本体の両側面に設けられる凹溝は、一条でも、あるいは上下に二条設けても良い。
【００２１】
従って、請求項３に記載の発明によれば、従来のガイド筒体を廃止することによる部品点数の削減、ガイド筒体の取付工数を廃止できるとともに、樹脂芯材、あるいはガイド部材の内面に設けたガイドリブとサポート本体の凹溝との嵌合作用により、サンバイザ本体のスライド操作時における良好なガイド性が得られるとともに、凹溝内にガイドリブの大半部分が収容されるため、サンバイザ本体の厚み方向の厚さ寸法をより少なくでき、製品の薄肉化により多く貢献できる。
【００２２】
【発明の実施の形態】
以下、本発明に係るスライド式サンバイザの好適な実施の形態について、添付図面を参照しながら詳細に説明する。
【００２３】
図１，図２は本発明に係るスライド式サンバイザの第１実施形態の正面図並びに断面図、図３は本発明に係るスライド式サンバイザの第２実施形態の構成を示す断面図、図４，図５は本発明に係るスライド式サンバイザの第３実施形態を示す正面図並びに断面図である。
【００２４】
図１，図２において、本発明の第１実施形態について説明する。この実施形態におけるスライド式サンバイザ１０は、サンバイザ本体２０がシャフト３０に回動自在に支承され、このシャフト３０は、ブラケット３１に挿通支持され、ブラケット３１が車体パネルの天井部分に取り付けられる。
【００２５】
また、シャフト３０は、サンバイザ本体２０内部に内装されているサポートアッセンブリ４０に回動自在に軸受されている。例えば、サンバイザ本体２０を天井面に格納した状態からフロントウインドウ側の使用位置まで展開するには、シャフト３０の軸廻りに沿ってサンバイザ本体２０を下方向に展開操作すれば良く、また、フロントウインドウ側からサイドウインドウ側に遮光範囲を変更するには、ブラケット３１廻りにシャフト３０を回動させることにより、左右方向に展開操作できる。
【００２６】
ところで、本発明に係るスライド式サンバイザ１０は、シャフト３０の軸方向に沿って、すなわち図１中矢印方向に沿ってサンバイザ本体２０をスライド操作することにより、遮光範囲を随意変更できるようにしたもので、特に、スライド機構の構造を簡素化することで、スライド式サンバイザ１０の製作コストを低減できるとともに、サンバイザ本体２０の薄肉化を図り、操作性を向上させ、かつサポートアッセンブリ４０やシャフト３０の組付時におけるスライド機構部分とのチューニング作業を簡素化できるようにしたことが特徴である。
【００２７】
すなわち、サポートアッセンブリ４０は、樹脂成形体からなるサポート本体４１とサポート本体４１に装着される板バネ４２とからなり、サポート本体４１の軸孔内にシャフト３０を挿入することによりシャフト３０が回動可能に軸受され、シャフト３０の外周面の一部を板バネ４２で弾接することにより、サンバイザ本体２０をシャフト３０廻りに回動操作する際の回動トルク力が得られる。
【００２８】
更に詳しくは、サンバイザ本体２０の構造としては、シェル状の分割樹脂芯材２１Ａ，２１Ｂのそれぞれ湾曲外面を外側に向けて両者を接合することにより中空状の樹脂芯材２１を構成し、この樹脂芯材２１の外表面をクロス、不織布等のサンバイザ表皮２２により被包して構成されている。尚、シェル状の分割樹脂芯材２１Ａ，２１Ｂをヒンジ部を基に折り返し接合できる構成として、中空状の樹脂芯材２１を作製することもできる。
【００２９】
そして、樹脂芯材２１を構成する各分割樹脂芯材２１Ａ，２１Ｂは、一方側に係止爪２３Ａ、他方側にそれを受ける係止部２３Ｂが形成され、係止爪２３Ａと係止部２３Ｂとの係着作用により組み付けられるが、本発明は、各分割樹脂芯材２１Ａ，２１Ｂの内面にサポートアッセンブリ４０におけるサポート本体４１の両側面を当接支持するガイドリブ２４Ａ，２４Ｂを設け、このガイドリブ２４Ａ，２４Ｂによりサポートアッセンブリ４０をスライド可能に支持したことが特徴である。
【００３０】
この実施形態では、各分割樹脂芯材２１Ａ，２１Ｂのそれぞれ上下２箇所にガイドリブ２４Ａ，２４Ｂが対向して形成され、各ガイドリブ２４Ａ，２４Ｂの離間距離をサポートアッセンブリ４０の厚み寸法より若干小さく設定しておけば、ガイドリブ２４Ａ，２４Ｂでサポートアッセンブリ４０を挟んだとき、ガイドリブ２４Ａ，２４Ｂからの弾接力がサポートアッセンブリ４０に加わることになり、サポートアッセンブリ４０を確実に支持でき、かつサンバイザ本体２０を図１中矢印方向にスライド操作できる。尚、図２中符号２５Ａ，２５Ｂは、サポートアッセンブリ４０の下方に設けられる下側リブを示す。
【００３１】
従って、このスライド式サンバイザ１０は、シェル状の半割体からなる分割樹脂芯材２１Ａ，２１Ｂをサンバイザ本体２０の芯材として使用したため、分割樹脂芯材２１Ａ，２１Ｂの内面にサポートアッセンブリ４０をスライド可能に支持するガイドリブ２４Ａ，２４Ｂを一体成形できることから、従来のアルミ押出成形体等からなるガイド筒体を廃止でき、部品点数の削減、取付工数の低減等によるコストダウンを見込める。更に、ガイド筒体を廃止することにより、サンバイザ本体２０の薄肉化にも貢献できる。
【００３２】
次いで、図３は、本発明に係るスライド式サンバイザ１０の第２実施形態を示すもので、第１実施形態と同一部分には同一符号を付し、その詳細な説明は省略する。
【００３３】
このスライド式サンバイザ１０においても、アルミ押出成形体等からなるガイド筒体を廃止することによる利点を備える一方、更なる構造のコンパクト化を図るとともに、サンバイザ本体２０のスライド操作時における良好なスライド操作性が得られることが特徴である。
【００３４】
すなわち、シャフト３０を軸受するサポートアッセンブリ４０は、中空状の分割樹脂芯材２１Ａ，２１Ｂの内面から突設した上下２箇所のガイドリブ２４Ａ，２４Ｂにより両側から押さえ付けられるように支持されているが、この第２実施形態においては、特に下側のガイドリブ２４Ａ，２４Ｂに対応するようにサポート本体４１の両側面に凹溝４３が凹設されている。
【００３５】
従って、ガイドリブ２４Ａ，２４Ｂは、凹溝４３内に嵌まり込んでいるため、サポートアッセンブリ４０の上下方向の位置規制を行なうことができるとともに、サンバイザ本体２０を長手方向にスライド操作するとき、凹溝４３内に沿ってガイドリブ２４Ａ，２４Ｂが移動するため、円滑なスライド操作が期待できるという利点がある。
【００３６】
また、この第２実施形態においては、凹溝４３内にガイドリブ２４Ａ，２４Ｂを収容したから、分割樹脂芯材２１Ａ，２１Ｂの内面とサポートアッセンブリ４０の外表面との間のクリアランスを小さく設定でき、サンバイザ本体２０の厚み寸法をより薄肉化することができる。尚、サポート本体４１に設ける凹溝４３は、上下２箇所に設けても良い。
【００３７】
次に、図４，図５は、本発明に係るスライド式サンバイザ１０の第３実施形態の正面図並びに要部断面図をそれぞれ示す。
【００３８】
この第３実施形態においても、軽量で中空状の樹脂芯材２１とサンバイザ表皮２２とからサンバイザ本体２０が構成されている。しかし、この第３実施形態においては、分割樹脂芯材２１Ａ，２１Ｂにガイドリブ２４Ａ，２４Ｂを一体成形するのではなく、別物のガイド部材５０が設けられている。
【００３９】
このガイド部材５０は、前後２箇所に取付片５１が形成され、この取付片５１の取付孔５２内に分割樹脂芯材２１Ａに設けた係止爪２３Ａを差し込むことでガイド部材５０が樹脂芯材２１の内側に取付固定される。
【００４０】
そして、このガイド部材５０は、合成樹脂の射出成形体から構成され、両側を立上げ形成したサポート壁部５３Ａ，５３Ｂの内面に対向して突設したガイドリブ５４Ａ，５４Ｂをサポートアッセンブリ４０の凹溝４３内に収容することにより、ガイド部材５０に対してサポートアッセンブリ４０をスライド可能に支持するという構成である。
【００４１】
従って、乗員がサンバイザ本体２０の遮光範囲を変更する際には、シャフト３０に対してサンバイザ本体２０をシャフト３０の軸方向に沿って左右いずれかの方向にスライド操作すれば、サポートアッセンブリ４０の凹溝４３内をガイド部材５０のガイドリブ５４Ａ，５４Ｂが円滑に摺動することにより、良好なスライド操作が期待できる。
【００４２】
そして、この第３実施形態においては、従来のガイド筒体に比べガイド部材５０を小型化することができ、コンパクト化が図れるとともに、樹脂芯材２１の内面に突設するガイドリブ２４Ａ，２４Ｂの構造のものに比べ、例えば、樹脂芯材２１を廉価で成形性に富むＰＰ（ポリプロピレン）樹脂を使用する一方、ガイド部材５０として、表面滑り性に富むポリアセタール、ポリアミド樹脂等の材質を使用するなど、機能性を考慮して、樹脂芯材２１とガイド部材５０との間で材料を使い分けることもできる。
【００４３】
更に、サポートアッセンブリ４０を予め組み込んだガイド部材５０を樹脂芯材２１に組み付ける際、取付片５１の取付孔５２内に係止爪２３Ａを挿通させることで、サポートアッセンブリ４０の取付作業を簡素化できるという利点があるとともに、サポートアッセンブリ４０とガイド部材５０との間のチューニング作業も簡単に行なえる。
【００４４】
尚、図４，図５に示すサポートアッセンブリ４０のスライド支持構造は、サポートアッセンブリ４０に設けた凹溝４３内にガイド部材５０のガイドリブ５４Ａ，５４Ｂを収容するという構成であるが、凹溝４３を省略して、サポートアッセンブリ４０の表面にガイド部材５０のガイドリブ５４Ａ，５４Ｂを直接弾接支持するようにしても良い。
【００４５】
【発明の効果】
以上説明した通り、本発明に係るスライド式サンバイザは、サンバイザ本体として射出成形等による中空状の樹脂芯材を使用し、樹脂芯材の内面に一体成形したガイドリブによりサポートアッセンブリをスライド可能に支持するという構成であるため、従来の大型のガイド筒体を廃止することができ、部品点数及び取付工数を削減できることで大幅なコストダウンを招来するとともに、サンバイザ本体の厚み寸法をコンパクト化でき、薄肉化による操作性の向上が期待できるという効果を有する。
【００４６】
更に、本発明の別態様によれば、サンバイザ本体として射出成形による中空状の樹脂芯材を使用するとともに、中空状の樹脂芯材内部にサポートアッセンブリをスライド可能に支持するガイド部材を樹脂芯材の係止部に取り付けるという構成であり、従来の大型のガイド筒体に替えて、小型のガイド部材でかつ接触部分が少ない部材を使用したため、サンバイザ本体の薄肉化を図れるとともに、ガイド部材とサポートアッセンブリとの間の接触部が少ないことから、寸法調整（チューニング）作業をより簡素化できるとともに、ガイド部材としてスライド保持機能を考慮した材料を樹脂芯材の材料とは異なる材料のものを使用できることから、スライド操作性をより高めることができるという効果を有する。
【図面の簡単な説明】
【図１】本発明に係るスライド式サンバイザの第１実施形態を示す正面図である。
【図２】図１中ＩＩ−ＩＩ線断面図である。
【図３】本発明に係るスライド式サンバイザにおける第２実施形態の構成を示す要部断面図である。
【図４】本発明に係るスライド式サンバイザにおける第３実施形態を示す正面図である。
【図５】図４中Ｖ−Ｖ線断面図である。
【図６】従来のスライド式サンバイザを示す正面図である。
【図７】図６中ＶＩＩ−ＶＩＩ線断面図である。
【符号の説明】
１０　スライド式サンバイザ
２０　サンバイザ本体
２１　樹脂芯材
２１Ａ，２１Ｂ　分割樹脂芯材
２２　サンバイザ表皮
２３Ａ　係止爪
２３Ｂ　係止部
２４Ａ，２４Ｂ　ガイドリブ
２５Ａ，２５Ｂ　下側リブ
３０　シャフト
３１　ブラケット
４０　サポートアッセンブリ
４１　サポート本体
４２　板バネ
４３　凹溝
５０　ガイド部材
５１　取付片
５２　取付孔
５３Ａ，５３Ｂ　サポート壁部
５４Ａ，５４Ｂ　ガイドリブ
【図１】
2004009883.tif 000003
【図２】
2004009883.tif 000004
【図３】
2004009883.tif 000005
【図４】
2004009883.tif 000006
【図５】
2004009883.tif 000007
【図６】
2004009883.tif 000008
【図７】
2004009883.tif 000009